(57)【特許請求の範囲】
【請求項１】
シートクッション（１）に対してシートバック（２）がロアナックル（１０）とアッパーナックル（１１）の第１ヒンジ軸（３）でリクライニングできるように支持されると共に、アッパーナックル（１１）の第２ヒンジ軸（４）でテーブル化できるように支持されたシートにおいて、
上記シートバック（２）のバックフレーム（６）のナックルセットプレート（７）の下部にテーブル回転機構（８）を介してアッパーナックル（１１）が固定され、このナックルセットプレート（７）の上部に、上記テーブル回転機構（８）とほぼ同じ高さの側面（１２ａ）と、この側面（１２ａ）から背面に至るコーナー面（１２ｂ）とを有するサイドプレート（１２）が固定されて、このサイドプレート（１２）とテーブル回転機構（８）の側面と背面に沿ってトリム（１５）を被せると共に、上記サイドプレート（１２）の外面に取り付けたスナップ（１４）にフック段部（１４ａ）を形成し、上記シートバック（２）の背面に取り付けるックボード（５）のサイド部（５ａ）の内面に、取り付け方向からフック段部（１４ａ）に係合可能なフォーク部（５ｂ）を設けたことを特徴とするシートのフレーム構造。
【発明の詳細な説明】
【０００１】
【発明の属する技術分野】
本発明は、シートバックのトリムの形状出しとバックボードの固定を正確かつ確実に行えるようにしたシートのフレーム構造に関する。
【０００２】
【従来の技術】
一般に、自動車用シートは、図５（Ａ）に示すように、シートクッション１とシートバック２とで構成されていて、図５（Ｂ）に示すように、シートクッション１に対してシートバック２が第１ヒンジ軸３でリクライニングできるように支持されている。
【０００３】
また、図６（Ａ）（Ｂ）に示すように、シートバック２が第２ヒンジ軸４で略水平にテーブル化できるように支持されているシート（いわゆる、フォールドダウンシート）が有り、このシートバック２の背面にはバックボード５が取り付けられ、このバックボード５の上面をテーブルとして使用することができる。
【０００４】
上記シートバック２を第２ヒンジ軸４で支持する場合には、図４に示すように、シートバック２のバックフレーム６のナックルセットプレート７の側面下部にテーブル回転機構８を固定し、このテーブル回転機構８の側面に沿ってシートバック用トリムを被せると共に、シートバック２の背面に取り付けるバックボード５のサイド部５ａの下部を上記トリムを介してテーブル回転機構８に固定するようにしている。
【０００５】
【発明が解決しようとする課題】
しかしながら、上記ナックルセットプレート７の側面下部のテーブル回転機構８は厚みＴが比較的厚くなることから、ナックルセットプレート７の側面上部との間に厚みＴに相当する段差（Ｔ）が生じるので、テーブル回転機構８の側面に沿ってシートバック用トリムを被せたとき、ナックルセットプレート７の側面上部のトリムの形状出しが正確にできなかった。
【０００６】
また、シートバック２の背面に取り付けるバックボード５のサイド部５ａの上部も、ナックルセットプレート７の側面上部との間に段差（Ｔ）が有るために確実に固定できないので、バックボード５をテーブルとして使用するとき、サイド部５ａの上部の剛性強度が低くてたわみやすかった。
【０００７】
本発明は、上記問題を解消するためになされたもので、シートバックのトリムの形状出しとバックボードの固定を正確かつ確実に行えるシートのフレーム構造を提供することを目的とするものである。
【０００８】
【課題を解決するための手段】
上記課題を解決するために、本発明は、シートクッション（１）に対してシートバック（２）がロアナックル（１０）とアッパーナックル（１１）の第１ヒンジ軸（３）でリクライニングできるように支持されると共に、アッパーナックル（１１）の第２ヒンジ軸（４）でテーブル化できるように支持されたシートにおいて、上記シートバック（２）のバックフレーム（６）のナックルセットプレート（７）の下部にテーブル回転機構（８）を介してアッパーナックル（１１）が固定され、このナックルセットプレート（７）の上部に、上記テーブル回転機構（８）とほぼ同じ高さの側面（１２ａ）と、この側面（１２ａ）から背面に至るコーナー面（１２ｂ）とを有するサイドプレート（１２）が固定されて、このサイドプレート（１２）とテーブル回転機構（８）の側面と背面に沿ってトリム（１５）を被せると共に、上記サイドプレート（１２）の外面に取り付けたスナップ（１４）にフック段部（１４ａ）を形成し、上記シートバック（２）の背面に取り付けるックボード（５）のサイド部（５ａ）の内面に、取り付け方向からフック段部（１４ａ）に係合可能なフォーク部（５ｂ）を設けたことを特徴とするシートのフレーム構造を提供するものである。
【０００９】
本発明によれば、シートバックフレームのナックルセットプレートの上部にサイドプレートを固定して、このサイドプレートの側面をテーブル回転機構とほぼ同じ高さに設定すると共に、このサイドプレートに、側面から背面に至るコーナー面を形成して、このサイドプレートとテーブル回転機構の側面と背面に沿ってトリムを被せることにより、ナックルセットプレートの側面上部の形状出しが正確にできるようになる。
【００１０】
また、サイドプレートの外面に取り付けたスナップにフック段部を形成し、バックボードの内面に、取り付け方向からフック段部に係合可能なフォーク部を設けることで、バックボードのサイド部の上部をナックルセットプレートの側面上部のサイドプレートに確実に固定できるとともに、バックボードの上部をワンタッチでサイドプレートに固定できる。
【００１１】
【発明の実施の形態】
以下、本発明の実施の形態を図面を参照して詳細に説明する。なお、図４以下の従来技術と同一構成・作用の箇所は同一番号を付して詳細な説明は省略する。
【００１２】
図１に示すように、シートクッション１のロアナックル１０にアッパーナックル１１の下部が第１ヒンジ軸３で前後回動自在に支持されると共に、このアッパーナックル１１の上部に、シートバック２のバックフレーム６のナックルセットプレート７の側面下部がテーブル回転機構８を介して第２ヒンジ軸４で前後回動自在に支持されている。
【００１３】
上記ナックルセットプレート７の側面上部には、図２にも示すように、上記アッパーナックル１１のテーブル回転機構８とほぼ同じ高さの側面１２ａと、この側面１２ａから背面に至るコーナー面１２ｂとを有するサイドプレート１２が固定されている。
【００１４】
このサイドプレート１２は、ナックルセットプレート７の側面７ａから外方へ突出させた複数の突出部７ｂと、サイドプレート１２の側面１２ａから内方へ突出させた複数の突出部１２ｃとをそれぞれ突き当てて、上記テーブル回転機構８の厚みＴに相当する高さとなるように設定している。また、突き当てたサイドプレート１２の各突出部１２ｃからねじ１３をナックルセットプレート７の各突出部７ｂにそれぞれねじ込んで、サイドプレート１２をナックルセットプレート７に固定している。
【００１５】
上記サイドプレート１２の適所には、外方からスナップ穴１２ｄにそれぞれ差し込んで係止した合成樹脂製のスナップ１４を取り付け、このスナップ１４には、リング状のフック段部１４ａを形成している。
【００１６】
上記シートバック２のトリム１５は、バックフレーム６のバックプレート１６にパッド（不図示）等をセットした後に、縫合したトリム１５を前方から被せて、このトリム１５の側部は、サイドプレート１２の側面１２ａとテーブル回転機構８の側面からコーナー面１２ｂに沿わせて、背面において端末１５ａをバックプレート１６にリング１７で止着している。なお、サイドプレート１２のスナップ１４は、トリム１５の穴から外方へ突出させる。
【００１７】
一方、上記バックボード５は、トリム１５を被せた後に、予めバックボード５の内面に取り付けたスナップ１８を、バックフレーム６のバックプレート１６のスナップ穴１６ａに背面から差し込んで係止する。
【００１８】
上記バックボード５のサイド部５ａは、上記サイドプレート１２の側面１２ａとテーブル回転機構８の側面に、背面方向から嵌め合わせて沿わせ、このサイド部５ａの下部は、従来と同様に、上記トリム１５を介してテーブル回転機構８にねじ等で固定する。
【００１９】
上記サイド部５ａの上部の内面には、図３に詳細に示すように、上記サイドプレート１２に取り付けた各スナップ１４のフック段部１４ａに、背面（取り付け）方向から係合可能なフォーク部５ｂをそれぞれ設けて、サイド部５ａをサイドプレート１２に固定できるようにしている。
【００２０】
上記の構成であれば、シートバック２は、従来と同様に、ロアナックル１０とアッパーナックル１１の第１ヒンジ軸３で前後傾させてリクライニングできると共に、アッパーナックル１１とシートバック２の第２ヒンジ軸４で前後傾させてテーブル化できる。
【００２１】
また、上記ナックルセットプレート７の上部に固定したサイドプレート１２の側面１２ａをテーブル回転機構８とほぼ同じ高さに設定し、このサイドプレート１２にコーナー面１２ｂを形成することにより、サイドプレート１２とテーブル回転機構８の側面と背面に沿ってトリムを被せることにより、ナックルセットプレート７の側面下部の形状出しはテーブル回転機構８で、ナックルセットプレート７の側面上部の形状出しはサイドプレート１２で、それぞれ正確にできるので外観性が向上する。
【００２２】
また、バックボード５のサイド部５ａの上部は、ナックルセットプレート７の側面上部のサイドプレート１２に、スナップ１４のフック段部１４ａとフォーク部５ｂとで確実に固定できるから、サイド部５ａの上部の剛性強度が高くなるから、バックボード５がたわまなくなって見栄えが向上する。さらに、サイドプレート１２のスナップ１４のフック段部１４ａに、バックボード５のフォーク部５ｂを係合させるだけで、バックボード５の上部をワンタッチでサイドプレート１２に固定できるから、組み付け性も良好である。
【００２３】
【発明の効果】
以の説明からも明らかなように、本発明のフレーム構造は、シートバックフレームのナックルセットプレートの上部にサイドプレートを固定して、このサイドプレートとテーブル回転機構の側面と背面に沿ってトリムを被せることにより、ナックルセットプレートの側面上部の形状出しが正確にできるようになるから、外観性が向上するようになる。
【００２４】
また、サイドプレートのスナップのフック段部に、バックボードのフォーク部を取り付け方向から係合させることで、バックボードのサイド部の上部をナックルセットプレートの側面上部のサイドプレートに確実に固定できるから、サイド部の上部の剛性強度が高くなるので、バックボードがたわまなくなって見栄えが向上するとともに、バックボードの上部をワンタッチでサイドプレートに固定できるから、組み付け性が良好になる。
【図面の簡単な説明】
【図１】    本発明のシートバックのフレーム構造の斜視図である。
【図２】    フレーム構造の平面断面図である。
【図３】    スナップとフォーク部の斜視図である。
【図４】    従来のシートバックのフレーム構造の斜視図である。
【図５】    シートであり、（Ａ）は起立位置の側面図、（Ｂ）はリクライニング位置の側面図である。
【図６】  シートであり、（Ａ）はテーブル位置の側面図、（Ｂ）はテーブル位置の斜視図である。
【符号の説明】
１      シートクッション
２      シートバック
３      第１ヒンジ軸
４      第２ヒンジ軸
５      バックボード
５ａ    サイド部
５ｂ    フォーク部
６      バックフレーム
７      ナックルセットプレート
７ａ    側面
８      テーブル回転機構
１０    ロアナックル
１１    アッパーナックル
１２    サイドプレート
１２ａ  側面
１２ｂ  コーナー面
１４    スナップ
１４ａ  フック段部
１５    トリム
Ｔ      厚み
【図１】
0003936017.tif 000002
【図２】
0003936017.tif 000003
【図３】
0003936017.tif 000004
【図４】
0003936017.tif 000005
【図５】
0003936017.tif 000006
【図６】
0003936017.tif 000007